(57)【要約】      （修正有）【課題】特別な判別具等を必要とせず、基材を斜め方向から観察すると確認できる潜像模様を、色相の変化を伴うフルカラーの連続階調画像として表現することが可能な特殊潜像模様形成体を提供する。【解決手段】基材２上の少なくとも一部に、レリーフ形状の凸画線が万線状に配列された凸様模様と、凸様模様の上に無彩色及び基画像の色に対応した有色から成る潜像要素及び潜像要素とは補色カモフラージュ要素とが隣接して１本の有色画線を構成し、凸画線と有色画線は少なくとも一部が重なることで、真上から有色万線模様が一様な無彩色として視認され、斜めから観察すると、潜像模様７がフルカラーの階調を有して視認できることを特徴とするカラー特殊潜像模様形成体である。【選択図】図３
2018199323.tif 000002
【特許請求の範囲】
【請求項１】
基材上の少なくとも一部に、前記基材と等色の第１の色を有し、基カラー画像の連続階調に対応したレリーフ形状が形成された凸画線が第１の方向に沿って所定のピッチで万線状に配列された凸様模様と、
前記凸様模様の上に、潜像要素とカモフラージュ要素とが隣接し、１本の画線として構成された有色画線が、前記第１の方向に沿って前記凸画線と同一ピッチで万線状に配列された有色万線模様が形成され、
前記潜像要素は、
ｉ）前記基材及び前記第１の色とは異なるプロセスカラーから成る無彩色の第２の色及び前記基カラー画像の色に対応した有色の第３の色を有し、又は
ｉｉ）前記基材及び前記第１の色とは異なる前記基カラー画像の色に対応した特色の第５の色を有し、
前記カモフラージュ要素は、前記ｉ）の場合、前記第２の色か、又は前記第３の色とは補色のプロセスカラーから成る第４の色を有し、前記ｉｉ）の場合、前記第５の色とは補色の特色から成る第６の色を有し、
前記第３の色と前記第４の色の混色又は前記第５の色と前記第６の色の混色は、無彩色であり、
前記凸画線と前記有色画線は少なくとも一部が重なり、複数配置された前記潜像要素により潜像模様が形成され、
前記基材表面に対して、真上からの観察では前記有色万線模様が一様な前記第２の色として視認され、前記基材表面に対して斜めから観察すると、前記カモフラージュ要素が前記凸画線に遮蔽され、前記潜像模様が前記基カラー画像と同じフルカラーの階調を有して視認できることを特徴とするカラー特殊潜像模様形成体。
【請求項２】
前記カラー特殊潜像模様形成体は、更に前記潜像模様と異なる副カラー模様を有し、
前記副カラー模様は、前記基材と異なる第７の色を有する副カラー画線が、前記第１の方向に前記凸画線と同一ピッチで、前記潜像要素に重ならないように万線状に形成され、
前記基材表面に対して、真上からの観察では前記有色万線模様内に形成された前記副カラー模様が視認され、前記基材表面に対して斜めから観察すると、前記カモフラージュ要素及び前記副カラー画線が前記凸画線に遮蔽され、前記潜像模様が前記基カラー画像と同じフルカラーの階調を有して視認できることを特徴とする請求項１記載のカラー特殊潜像模様形成体。
【請求項３】
前記第７の色は、プロセスカラー又は特色であることを特徴とする請求項２記載のカラー特殊潜像模様形成体。
【請求項４】
基材上の少なくとも一部に、前記基材と等色の凸画線が第１の方向に沿って所定のピッチで万線状に配列された凸様模様と、前記凸様模様の上に、前記凸画線とは異なる色で、補色関係を有する潜像要素とカモフラージュ要素から成る有色画線が前記第１の方向に沿って前記凸画線と同一ピッチで万線状に配列された有色万線模様が形成され、前記基材表面に対して斜めの観察角度のみで前記潜像要素により構成された潜像模様が視認可能なカラー特殊潜像模様の作製方法であって、
前記潜像模様の基カラー画像を作製又は外部から取得する基カラー画像設定工程と、
前記基カラー画像を複数の領域に区分けし、前記領域ごとに濃度の平均化を行い、領域平均化画像を生成する領域平均化工程と、
前記領域平均化画像を前記凸様模様のために多値モノクロ画像に変換した第１の多値モノクロ画像と前記第１の多値モノクロ画像を階調反転した第２の多値モノクロ画像とを作製する多値モノクロ画像生成工程と、
前記凸様模様のための異なる二つのパターンファイルを作製し、前記第１の多値モノクロ画像及び前記第２の多値モノクロ画像にそれぞれ適応し、ポジ状の第１−１の２値画像及びネガ状の第１−２の２値画像を作製する第１の２値画像生成工程と、
前記第１−１の２値画像を構成しているポジ要素と前記第１−２の２値画像を構成しているネガ要素が隣接するように合成する凸様模様生成工程と、
前記基材表面に対して真上から観察した際に、前記潜像模様を不可視化するためのカモフラージュ要素用として、前記領域平均化工程後の画像の各々の画素の濃度値を示す基多値カラー情報を階調反転させた第１−１の多値カラー情報と色相反転させた第１−２の多値カラー情報を作製して、５０％の濃度値に平均化して合成することにより第１の多値カラー情報を備えた第１の多値カラー画像を生成し、前記潜像要素用として、前記領域平均化工程後の画像の各々の画素の濃度値を示す基多値カラー情報を明度反転させた第２−１の多値カラー情報を作製して、前記基多値カラー情報と５０％の濃度値に平均化して合成することにより第２の多値カラー情報とした第２の多値カラー画像を生成する多値カラー画像生成工程と、
前記第１の多値カラー画像と前記第２の多値カラー画像それぞれに対して、前記第１の方向に配列されたスリットマスクを適応させて前記潜像要素を備えた第１の多値カラー画像及び前記カモフラージュ要素を備えた第２の多値カラー画像を生成するマスク処理工程と、
前記第１の多値カラー画像を構成している潜像要素及び前記第２の多値カラー画像を構成しているカモフラージュ要素が隣接するように合成する有色万線模様生成工程と、を備えたカラー特殊潜像模様の作製方法。
【請求項５】
前記カラー特殊潜像模様の作製方法は、前記潜像模様と異なる副カラー模様の作製方法を備え、
前記副カラー模様の作製方法は、前記副カラー模様の基となる画像を作製又は外部から取得し、前記副カラー模様の基となる画像にトーンカーブを適用して副カラー基画像を生成する前処理工程と、
前記領域平均化画像を、副カラー画像用マスクを生成するために多値モノクロ画像に変換した第４の多値モノクロ画像と前記第４の多値モノクロ画像を階調反転した第５の多値モノクロ画像とを作製する多値モノクロ画像生成工程と、
前記副カラー画像用マスクのための異なる２つのパターンファイルを作製し、前記第４の多値モノクロ画像に前記副カラー画像用マスクの上部用パターンファイルを適応した第４−１の２値画像と、前記副カラー画像用マスクの下部用パターンファイルを適応した第４−２の２値画像を生成する第４の２値画像生成工程と、
前記第４−１の２値画像及び前記第４−２の２値画像を合成して前記副カラー画像用マスクを生成する副カラー画像用マスク生成工程と、
前記副カラー基画像に前記副カラー画像用マスクを適用し、前記副カラー画像を生成する副カラー画像用マスク適用工程と、
前記有色万線模様と前記副カラー画像を合成し、前記副カラー模様を有する前記有色万線模様を生成する工程と、を備えたことを特徴とする請求項４記載のカラー特殊潜像模様の作製方法。
【請求項６】
前記領域平均化工程の前に、前記基カラー画像に対して彩度を上げる彩度調整工程を備えたことを特徴とする請求項４又は５記載のカラー特殊潜像模様の作製方法。
【請求項７】
前記領域平均化工程の後に、前記領域平均化画像に対して、前記基材表面の水平方向に対して各領域の境界を目立たなくさせるためのボカシ処理を行う水平ボカシ処理工程を備えたことを特徴とする請求項４から６までのいずれか１項に記載のカラー特殊潜像模様の作製方法。
【請求項８】
前記多値カラー画像生成工程において、第１−１の多値カラー情報と色相反転させた第１−２の多値カラー情報及び第２−１の多値カラー情報の基となる画像が、前記領域平均化画像又は前記水平ボカシ処理工程で生成された水平ボカシ処理画像であることを特徴とする請求項７記載のカラー特殊潜像模様の作製方法。
【請求項９】
前記請求項４から８までに記載のカラー特殊潜像模様の作製方法により作製された前記凸様模様のデータを基に前記基材上に形成する凸様模様形成工程と、前記基材上に形成された前記凸様模様上に前記有色万線模様のデータを基に形成する有色万線模様形成工程と、を備えたカラー特殊潜像模様形成体の作製方法。
【請求項１０】
基材上の少なくとも一部に、前記基材と等色の凸画線が第１の方向に沿って所定のピッチで万線状に配列された凸様模様と、前記凸様模様の上に、前記凸画線とは異なる色で、補色関係を有する潜像要素とカモフラージュ要素から成る有色画線が前記第１の方向に沿って前記凸画線と同一ピッチで万線状に配列された有色万線模様が形成され、前記基材表面に対して斜めの観察角度のみで前記潜像要素により構成された潜像模様が視認可能なカラー特殊潜像模様の作製方法であって、
前記潜像模様の基カラー画像を作製又は外部から取得する基カラー画像設定工程と、
前記基カラー画像を複数の領域に区分けし、前記領域ごとに濃度の平均化を行い、領域平均化画像を生成する領域平均化工程と、
前記領域平均化画像を前記凸様模様のために多値モノクロ画像に変換した第１の多値モノクロ画像と前記第１の多値モノクロ画像を階調反転した第２の多値モノクロ画像とを作製する多値モノクロ画像生成工程と、
前記凸様模様のための異なる二つのパターンファイルを作製し、前記第１の多値モノクロ画像及び前記第２の多値モノクロ画像にそれぞれ適応し、ポジ状の第１−１の２値画像及びネガ状の第１−２の２値画像を作製する第１の２値画像生成工程と、
前記第１−１の２値画像を構成しているポジ要素と前記第１−２の２値画像を構成しているネガ要素が隣接するように合成する２値画像の第１の合成工程と、
前記領域平均化工程後の画像から特定の色域を抽出した第３の多値モノクロ画像を生成する色域抽出工程と、
前記第３の多値モノクロ画像に対して、濃度値を異ならせたトーンカーブを適用して階調を変換した多値モノクロポジ画像及び多値モノクロネガ画像を生成する多値モノクロ階調変換工程と、
前記多値モノクロポジ画像及び前記多値モノクロネガ画像に対して下部用のパターンファイルを適用して第２−１及び第３−１の２値画像を生成し、前記多値モノクロポジ画像及び前記多値モノクロネガ画像に対して上部用のパターンファイルを適用して第２−２及び第３−２の２値画像を生成する特色用２値画像生成工程と、
前記第２−１の２値画像と前記第２−２の２値画像を合成して第２の２値画像を生成する２値画像の第２の合成工程と、
前記第３−１の２値画像と前記第３−２の２値画像を合成して第３の２値画像を生成する２値画像の第３の合成工程と、
前記第２の２値画像と前記第３の２値画像を合成して特色用の有色万線模様を生成する特色用有色万線模様生成工程と、を備えたカラー特殊潜像模様の作製方法。
【請求項１１】
前記カラー特殊潜像模様の作製方法は、更に副カラー模様の作製方法を備え、
前記副カラー模様の作製方法は、前記副カラー模様の基となる画像を作製又は外部から取得し、前記副カラーの基となる画像にトーンカーブを適用して副カラー基画像を生成する前処理工程と、
前記領域平均化画像を、副カラー画像用マスクを生成するために多値モノクロ画像に変換した第４の多値モノクロ画像と前記第４の多値モノクロ画像を階調反転した第５の多値モノクロ画像とを作製する多値モノクロ画像生成工程と、
前記副カラー画像用マスクのための異なる２つのパターンファイルを作製し、前記第４の多値モノクロ画像に前記副カラー画像用マスクの上部用パターンファイルを適応した第４−１の２値画像と、前記副カラー画像用マスクの下部用パターンファイルを適応した第４−２の２値画像を生成する第４の２値画像生成工程と、
前記第４−１の２値画像及び前記第４−２の２値画像を合成して前記副カラー画像用マスクを生成する副カラー画像用マスク生成工程と、
前記副カラー基画像に前記副カラー画像用マスクを適用し、前記副カラー画像を生成する副カラー画像用マスク適用工程と、
前記特色用の有色万線模様と前記副カラー画像を合成し、前記副カラー模様を有する特色用の有色万線模様を生成する特色用有色万線模様生成工程と、を備えたことを特徴とする請求項１０記載のカラー特殊潜像模様の作製方法。
【請求項１２】
前記領域平均化工程の前に、前記基カラー画像に対して彩度を上げる彩度調整工程を備えたことを特徴とする請求項１０又は１１記載のカラー特殊潜像模様の作製方法。
【請求項１３】
前記領域平均化工程の後に、前記領域平均化画像に対して、前記基材表面の水平方向に対して各領域の境界を目立たなくさせるためのボカシ処理を行う水平ボカシ処理工程を備えたことを特徴とする請求項１０から１２までのいずれか１項記載のカラー特殊潜像模様の作製方法。
【請求項１４】
前記請求項１０から１３までに記載のカラー特殊潜像模様の作製方法により作製された凸様模様のデータを基に基材上に形成する凸様模様形成工程と、基材上に形成された凸様模様上に特色用の有色万線模様のデータを基に形成する特色用の有色万線模様形成工程と、を備えたカラー特殊潜像模様形成体の作製方法。
【発明の詳細な説明】
【技術分野】
【０００１】
本発明は、銀行券、株券、債券等の有価証券、各種証明書、重要書類等の偽造、改ざんの防止が求められるセキュリティ印刷物において、肉眼で基材を斜視することで、フルカラーの潜像模様が視認できる形成体及びその作製方法に関するものである。
【背景技術】
【０００２】
銀行券、旅券、有価証券等のセキュリティ印刷物は、その性質上、偽造や複製がされにくいことが要求される。また、偽造や複製がされたか否かを目視により簡易に判別可能とするため、セキュリティ形成体を形成する網点又は画線と、基材又はインキの盛りにより形成した凹凸を組み合わせることで、観察角度の変化により視認できる画像が変化する偽造防止技術が公知である。
【０００３】
このような観察角度の変化により視認できる画像を施した偽造防止技術として、本出願人は、部分的に角度を異にすることによって図柄を表した各種万線模様、若しくはレリーフ模様、又は双方の模様のいずれかのエンボス、すき入れ又はインキによって形成された凹凸形状を有する素材に、素材の色及び無色透明以外の異なった他の色のインキによって、一定な間隔を持つ各種万線画線、若しくは網点画線、又は双方の画線のいずれかを前述の凹凸形状の図柄以外の部分を構成する部分に対して平行又は傾斜を持たせて印刷する特殊模様形成体を出願している（特許文献１又は特許文献２参照）。
【０００４】
この特許文献１又は特許文献２に記載の技術は、正面から観察すると、該一定の間隔の直線で構成された各種万線画線、若しくは網点画線、又は双方の画線のいずれかのみが確認でき、斜めの方向から観察すると、該凹凸形状と、該一定な間隔を持つ印刷画線との間に生じる一定でない位置関係によって、該凹凸形状によって形成された図柄が容易に確認でき、逆の斜めの方向から観察すると、図柄の明暗が反転して確認できることを特徴としている。
【０００５】
また、本出願人は、前述した特許文献１又は特許文献２に記載の技術において、凹凸形状の図柄以外の部分を構成する一定な間隔を持つ各種万線画線、若しくは網点画線、又は双方の画線のいずれかを印刷する素材の色及び無色透明以外の異なった他の色のインキを、イエロー、シアン及びマゼンタの３色を用いて印刷する特殊模様形成体を出願している（特許文献３参照）。
【０００６】
この特許文献３に記載の技術は、特許文献１又は特許文献２に記載の技術に加え、斜めから観察した際に視認できる潜像模様が、濃淡の階調を有するカラーの潜像模様として認識でき、その潜像の有無、その形状、カラー画像の色合い等により、特に真偽判別具等を使用することなく極めて容易、かつ、確実な真偽判別を可能とした。
【先行技術文献】
【特許文献】
【０００７】
【特許文献１】特許第２６１５４０１号公報
【特許文献２】特許第２６０００９４号公報
【特許文献３】特許第４３０４３５６号公報
【発明の概要】
【発明が解決しようとする課題】
【０００８】
特許文献１又は特許文献２に記載の技術については、基材を斜視した際に発生する凹凸画線の高さによる死角を利用した技術であり、特別な判別具を要することはなく、肉眼で潜像模様の出現を確認することで、真正品か偽造品かを判別可能とした優れた技術ではあったが、視認できる潜像模様は基材の色又は印刷画線の色のどちらか一方であり、色彩感が乏しいという問題があった。
【０００９】
この特許文献１又は特許文献２に記載の技術における色彩感の乏しさという問題を解消したのが特許文献３に記載の技術であり、印刷画線にイエロー、シアン及びマゼンタの３色を用いていることから、視認できる潜像模様もカラーの連続階調を表現可能となり、色彩感も向上した偽造防止技術であったが、特許文献３に記載の技術は、凹凸画線１本に対してイエロー、シアン又はマゼンタの中の１色を用いた印刷画線１本が対応して配置されており、潜像模様全体ではカラーの連続階調を表現できていたが、あくまでも明度の変化によるカラー化であり、色相の変化を奏するものではなかった。したがって、例えば、顔写真のようなフルカラーの連続階調を表現することはできなかった。
【００１０】
本発明は、前述した課題の解決を目的とするものであり、特別な判別具等を必要とせず、基材を斜め方向から観察すると確認できる潜像模様を、色相の変化を伴うフルカラー（疑似のフルカラー含む。）の連続階調画像として表現し、更には、形成する潜像模様を印刷物ごとに異なる可変情報として付与することが可能な特殊潜像模様形成体を提供する。
【課題を解決するための手段】
【００１１】
本発明は、基材上の少なくとも一部に、基材と等色の第１の色を有し、基カラー画像の連続階調に対応したレリーフ形状が形成された凸画線が第１の方向に沿って所定のピッチで万線状に配列された凸様模様と、凸様模様の上に、潜像要素とカモフラージュ要素とが隣接し、１本の画線として構成された有色画線が、第１の方向に沿って凸画線と同一ピッチで万線状に配列された有色万線模様が形成され、潜像要素は、ｉ）基材及び第１の色とは異なるプロセスカラーから成る無彩色の第２の色及び基カラー画像の色に対応した有色の第３の色を有し、又は、ｉｉ）基材及び第１の色とは異なる基カラー画像の色に対応した特色の第５の色を有し、カモフラージュ要素は、ｉ）の場合、第２の色か、又は第３の色とは補色のプロセスカラーから成る第４の色を有し、ｉｉ）の場合、第５の色とは補色の特色から成る第６の色を有し、第３の色と第４の色の混色又は第５の色と第６の色の混色は、無彩色であり、凸画線と有色画線は少なくとも一部が重なり、複数配置された潜像要素により潜像模様が形成され、基材表面に対して、真上からの観察では有色万線模様が一様な第２の色として視認され、基材表面に対して斜めから観察すると、カモフラージュ要素が凸画線に遮蔽され、潜像模様が基カラー画像と同じフルカラーの階調を有して視認できることを特徴とするカラー特殊潜像模様形成体である。
【００１２】
また、本発明のカラー特殊潜像模様形成体は、更に潜像模様と異なる副カラー模様を有し、副カラー模様は、基材と異なる第７の色を有する副カラー画線が、第１の方向に凸画線と同一ピッチで、潜像要素と重ならないように万線状に形成され、基材表面に対して、真上からの観察では有色万線模様内に形成された副カラー模様が視認され、基材表面に対して斜めから観察すると、カモフラージュ要素及び前記副カラー画線が凸画線に遮蔽され、潜像模様が基カラー画像と同じフルカラーの階調を有して視認できることを特徴とするカラー特殊潜像模様形成体である。
【００１３】
また、本発明のカラー特殊潜像模様形成体における第７の色は、プロセスカラー又は特色であることを特徴とするカラー特殊潜像模様形成体である。
【００１４】
また、本発明のカラー特殊潜像模様の作製方法は、基材上の少なくとも一部に、基材と等色の凸画線が第１の方向に沿って所定のピッチで万線状に配列された凸様模様と、凸様模様の上に、凸画線とは異なる色で、補色関係を有する潜像要素とカモフラージュ要素から成る有色画線が第１の方向に沿って凸画線と同一ピッチで万線状に配列された有色万線模様が形成され、基材表面に対して斜めの観察角度のみで潜像要素により構成された潜像模様が視認可能なカラー特殊潜像模様の作製方法であって、潜像模様の基カラー画像を作製又は外部から取得する基カラー画像設定工程と、基カラー画像を複数の領域に区分けし、領域ごとに濃度の平均化を行い、領域平均化画像を生成する領域平均化工程と、領域平均化画像を凸様模様のために多値モノクロ画像に変換した第１の多値モノクロ画像と第１の多値モノクロ画像を階調反転した第２の多値モノクロ画像とを作製する多値モノクロ画像生成工程と、凸様模様のための異なる二つのパターンファイルを作製し、第１の多値モノクロ画像及び第２の多値モノクロ画像にそれぞれ適応し、ポジ状の第１−１の２値画像及びネガ状の第１−２の２値画像を作製する第１の２値画像生成工程と、第１−１の２値画像を構成しているポジ要素と第１−２の２値画像を構成しているネガ要素が隣接するように合成する凸様模様生成工程と、基材表面に対して真上から観察した際に、潜像模様を不可視化するためのカモフラージュ要素用として、領域平均化工程後の画像の各々の画素の濃度値を示す基多値カラー情報を階調反転させた第１−１の多値カラー情報と色相反転させた第１−２の多値カラー情報を作製して、５０％の濃度値に平均化して合成することにより第１の多値カラー情報を備えた第１の多値カラー画像を生成し、潜像要素用として、領域平均化工程後の画像の各々の画素の濃度値を示す基多値カラー情報を明度反転させた第２−１の多値カラー情報を作製して、基多値カラー情報と５０％の濃度値に平均化して合成することにより第２の多値カラー情報とした第２の多値カラー画像を生成する多値カラー画像生成工程と、第１の多値カラー画像と第２の多値カラー画像それぞれに対して、第１の方向に配列されたスリットマスクを適応させて潜像要素を備えた第１の多値カラー画像及びカモフラージュ要素を備えた第２の多値カラー画像を生成するマスク処理工程と、第１の多値カラー画像を構成している潜像要素及び第２の多値カラー画像を構成しているカモフラージュ要素が隣接するように合成する有色万線模様生成工程と、を備えたカラー特殊潜像模様の作製方法である。
【００１５】
また、本発明のカラー特殊潜像模様の作製方法は、更に潜像模様と異なる副カラー模様の作製方法を備え、副カラー模様の作製方法は、副カラー模様の基となる画像を作製又は外部から取得し、副カラー模様の基となる画像にトーンカーブを適用して副カラー基画像を生成する前処理工程と、領域平均化画像を、副カラー画像用マスクを生成するために多値モノクロ画像に変換した第４の多値モノクロ画像と第４の多値モノクロ画像を階調反転した第５の多値モノクロ画像とを作製する多値モノクロ画像生成工程と、副カラー画像用マスクのための異なる２つのパターンファイルを作製し、第４の多値モノクロ画像に副カラー画像用マスクの上部用パターンファイルを適応した第４−１の２値画像と、副カラー画像用マスクの下部用パターンファイルを適応した第４−２の２値画像を生成する第４の２値画像生成工程と、第４−１の２値画像及び第４−２の２値画像を合成して副カラー画像用マスクを生成する副カラー画像用マスク生成工程と、副カラー基画像に副カラー画像用マスクを適用し、副カラー画像を生成する副カラー画像用マスク適用工程と、有色万線模様と副カラー画像を合成し、副カラー模様を有する有色万線模様を生成する工程と、を備えたことを特徴とするカラー特殊潜像模様の作製方法である。
【００１６】
また、本発明のカラー特殊潜像模様の作製方法は、領域平均化工程の前に、基カラー画像に対して彩度を上げる彩度調整工程を備えたことを特徴とするカラー特殊潜像模様の作製方法である。
【００１７】
また、本発明のカラー特殊潜像模様の作製方法は、領域平均化工程の後に、領域平均化画像に対して、基材表面の水平方向に対して各領域の境界を目立たなくさせるためのボカシ処理を行う水平ボカシ処理工程を備えたことを特徴とするカラー特殊潜像模様の作製方法である。
【００１８】
また、本発明のカラー特殊潜像模様の作製方法は、多値カラー画像生成工程において、第１−１の多値カラー情報と色相反転させた第１−２の多値カラー情報及び第２−１の多値カラー情報の基となる画像が、領域平均化画像又は水平ボカシ処理工程で生成された水平ボカシ処理画像であることを特徴とするカラー特殊潜像模様の作製方法である。
【００１９】
また、本発明のカラー特殊潜像模様の作製方法は、カラー特殊潜像模様の作製方法により作製された凸様模様のデータを基に基材上に形成する凸様模様形成工程と、基材上に形成された凸様模様上に有色万線模様のデータを基に形成する有色万線模様形成工程と、を備えたカラー特殊潜像模様形成体の作製方法である。
【００２０】
また、本発明のカラー特殊潜像模様の作製方法は、基材上の少なくとも一部に、基材と等色の凸画線が第１の方向に沿って所定のピッチで万線状に配列された凸様模様と、凸様模様の上に、凸画線とは異なる色で、補色関係を有する潜像要素とカモフラージュ要素から成る有色画線が第１の方向に沿って凸画線と同一ピッチで万線状に配列された有色万線模様が形成され、基材表面に対して斜めの観察角度のみで潜像要素により構成された潜像模様が視認可能なカラー特殊潜像模様の作製方法であって、潜像模様の基カラー画像を作製又は外部から取得する基カラー画像設定工程と、基カラー画像を複数の領域に区分けし、領域ごとに濃度の平均化を行い、領域平均化画像を生成する領域平均化工程と、領域平均化画像を凸様模様のために多値モノクロ画像に変換した第１の多値モノクロ画像と第１の多値モノクロ画像を階調反転した第２の多値モノクロ画像とを作製する多値モノクロ画像生成工程と、凸様模様のための異なる二つのパターンファイルを作製し、第１の多値モノクロ画像及び第２の多値モノクロ画像にそれぞれ適応し、ポジ状の第１−１の２値画像及びネガ状の第１−２の２値画像を作製する第１の２値画像生成工程と、第１−１の２値画像を構成しているポジ要素と第１−２の２値画像を構成しているネガ要素が隣接するように合成する２値画像の第１の合成工程と、領域平均化工程後の画像から特定の色域を抽出した第３の多値モノクロ画像を生成する色域抽出工程と、第３の多値モノクロ画像に対して、濃度値を異ならせたトーンカーブを適用して階調を変換した多値モノクロポジ画像及び多値モノクロネガ画像を生成する多値モノクロ階調変換工程と、多値モノクロポジ画像及び多値モノクロネガ画像に対して下部用のパターンファイルを適用して第２−１及び第３−１の２値画像を生成し、多値モノクロポジ画像及び多値モノクロネガ画像に対して上部用のパターンファイルを適用して第２−２及び第３−２の２値画像を生成する特色用２値画像生成工程と、第２−１の２値画像と第２−２の２値画像を合成して第２の２値画像を生成する２値画像の第２の合成工程と、第３−１の２値画像と第３−２の２値画像を合成して第３の２値画像を生成する２値画像の第３の合成工程と、第２の２値画像と第３の２値画像を合成して有色万線模様を生成する特色用の有色万線模様生成工程とを備えたカラー特殊潜像模様の作製方法である。
【００２１】
また、本発明のカラー特殊潜像模様の作製方法は、更に副カラー模様の作製方法を備え、副カラー模様の作製方法は、副カラー模様の基となる画像を作製又は外部から取得し、副カラーの基となる画像にトーンカーブを適用して副カラー基画像を生成する前処理工程と、領域平均化画像を、副カラー画像用マスクを生成するために多値モノクロ画像に変換した第４の多値モノクロ画像と第４の多値モノクロ画像を階調反転した第５の多値モノクロ画像とを作製する多値モノクロ画像生成工程と、副カラー画像用マスクのための異なる２つのパターンファイルを作製し、第４の多値モノクロ画像に副カラー画像用マスクの上部用パターンファイルを適応した第４−１の２値画像と、副カラー画像用マスクの下部用パターンファイルを適応した第４−２の２値画像を生成する第４の２値画像生成工程と、第４−１の２値画像及び第４−２の２値画像を合成して副カラー画像用マスクを生成する副カラー画像用マスク生成工程と、副カラー基画像に副カラー画像用マスクを適用し、副カラー画像を生成する副カラー画像用マスク適用工程と、特色用の有色万線模様と副カラー画像合成し、副カラー模様を有する特色用の有色万線模様を生成する工程とを備えたことを特徴とするカラー特殊潜像模様の作製方法である。
【００２２】
また、本発明のカラー特殊潜像模様の作製方法は、領域平均化工程の前に、基カラー画像に対して彩度を上げる彩度調整工程を備えたことを特徴とするカラー特殊潜像模様の作製方法である。
【００２３】
また、本発明のカラー特殊潜像模様の作製方法は、領域平均化工程の後に、領域平均化画像に対して、基材表面の水平方向に対して各領域の境界を目立たなくさせるためのボカシ処理を行う水平ボカシ処理工程を備えたことを特徴とするカラー特殊潜像模様の作製方法である。
【００２４】
さらに、本発明のカラー特殊潜像模様の作製方法は、カラー特殊潜像模様の作製方法により作製された凸様模様のデータを基に基材上に形成する凸様模様形成工程と、基材上に形成された凸様模様上に特色用の有色万線模様のデータを基に形成する特色用の有色万線模様形成工程とを備えたカラー特殊潜像模様形成体の作製方法である。
【発明の効果】
【００２５】
本発明により、特殊な判別具等を用いず、肉眼により確認できる潜像模様がフルカラーの連続階調画像となり、潜像模様に豊富な色彩感を付与することが可能となった。
【００２６】
また、本発明により、フルカラーの連続階調が表現可能となったため、写真画像を形成することもでき、更には、印刷物ごとに異なる可変情報としても形成可能となり、各自治体等が発行する証明書類や、旅券冊子における個人情報として、顔写真等の潜像模様の印刷が可能となった。
【図面の簡単な説明】
【００２７】
【図１】本発明のカラー特殊潜像模様形成体の一例を示す図。
【図２】カラー特殊潜像模様の展開図。
【図３】本発明のカラー特殊潜像模様形成体の効果を示す図。
【図４】カラー特殊潜像模様を構成する凸様模様を説明する図。
【図５】凸様模様の一部断面図。
【図６】凸画線のレリーフ形状の例を説明する図。
【図７】カラー特殊潜像模様を構成する有色万線模様を説明する図。
【図８】凸様模様と有色万線模様の配置関係を示す図。
【図９】凸様模様と有色万線模様の積層状態における一部断面図。
【図１０】カラー特殊潜像模様を作成するための装置のブロック図。
【図１１】カラー特殊潜像模様を作成する方法のフローチャート図。
【図１２】基カラー画像を示す図。
【図１３】基カラー画像に領域平均化処理を施した画像を示す図。
【図１４】領域平均化処理を施した画像にボカシ処理を施した画像を示す図。
【図１５】第１及び第２の多値モノクロ画像を示す図。
【図１６】第１の多値モノクロ画像に第１のパターンファイルを適用した第１−１の２値画像を示す図。
【図１７】第２の多値モノクロ画像に第２のパターンファイルを適用した第１−２の２値画像を示す図。
【図１８】第１−１の２値画像と第１−２の２値画像を合成した凸様模様を示す図。
【図１９】多値カラー情報における画素の濃度値を示す図。
【図２０】第１の多値カラー画像を示す図。
【図２１】第２の多値カラー画像を示す図。
【図２２】特色カラーを用いて万線模様を作製する方法を示すフローチャート図。
【図２３】領域平均化処理を施した画像から肌色を抽出した第３の多値モノクロ画像を示す図。
【図２４】第３の多値モノクロ画像にトーンカーブを適用して多値モノクロポジ画像及び多値モノクロネガ画像を生成した図。
【図２５】肌色用画像を生成するために適用するパターンファイルの種類を示す図。
【図２６】パターンファイルを適用した肌色を表現する第２の２値画像を示す図。
【図２７】第２の２値画像と補色関係を有する第３の２値画像を示す図。
【図２８】特色用の有色万線模様を示す図。
【図２９】本発明の副カラー模様を有するカラー特殊潜像模様形成体の効果を示す図。
【図３０】副カラー模様を有するカラー特殊潜像模様を作成する方法のフローチャート図。
【図３１】第４の多値モノクロ画像に第７のパターンファイルを適用した第４−１の２値画像を示す図。
【図３２】第５の多値モノクロ画像に第８のパターンファイルを適用した第４−２の２値画像を示す図。
【図３３】第４−１の２値画像と第４−２の２値画像を合成した副カラー画像用マスクを示す図。
【図３４】基カラー画像を示す図。
【図３５】副カラー画像に副カラー画像用マスクの基画像が適用された副カラー画像を示す図。
【図３６】カラー特殊潜像模様を構成する副カラー模様を有する有色万線模様を説明する図。
【発明を実施するための形態】
【００２８】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００２９】
図１は、本発明が対象とするカラー特殊潜像模様形成体（以下「カラー形成体」という。）（１）と、その基カラー画像（１５）の例である。図１では、旅券冊子を例として、表紙と裏表紙の間に複数の記録用のページがとじ部により一体化されており、表紙の見返しページ（基材）（２）には、基カラー画像（１５）から得られた所有者の顔画像（３）と個人情報（４）、冊子番号（５）、更には本発明の特徴点であるカラー特殊潜像模様（以下「カラー特殊潜像」という。）（６）が形成されている。なお、図１に示した旅券冊子は一例に過ぎず、必ずしも同じようなデザイン（配置）である必要はない。
【００３０】
カラー特殊潜像（６）の大きさについては、基材（２）全体にわたって形成してもよいが、実際の活用形態を考慮すると、図１に示したように、基材（２）上の一部に形成することが好ましい。したがって、大きさについては、他の模様に影響を及ぼさなければ、特に限定はなく、基材（２）上の少なくとも一部に配置されることとなる。
【００３１】
図２は、カラー特殊潜像（６）の構成を示す展開図である。本発明におけるカラー特殊潜像（６）は、凸形状の凸画線（９）が万線状に配置された凸様模様（８）と、その凸様模様（８）の上に印刷された有色画線（１１）が万線状に配置された有色万線模様（１０）から成る。なお、本発明における「万線状」とは、画線が一定の規則に従って複数配列されている状態をいう。この「万線状」を構成する画線は、好ましくは直線となるが、基材（２）を傾けた際に潜像模様が視認できる設計が可能であれば曲線でも構わない。以下は、直線として説明する。
【００３２】
凸様模様（８）を形成するための基材（２）については、凸画線（９）が形成できれば特に限定はない。凸画線（９）を、基材（２）自体を変形（加工）させて形成する場合には、例えば紙基材（２）として、公知のすき入れやエンボス、又はレーザ加工によって形成することができる。具体的な紙としては、上質紙、コート紙、アート紙等、特に限定はないが、平滑性の高い紙が好ましい。また、凸画線（９）をインキによって形成する場合には、前述した紙基材（２）でもよいが、プラスチックのような、より平滑性の高い材料が好ましい。インキが付与可能であれば、金属でもよい。レーザ加工を用いるとプラスチックや金属でも形成可能である。
【００３３】
このカラー形成体（１）の効果を図３に示す。カラー形成体（１）に対して、図３（ａ）のように、観察者の視点が基材（２）に対して垂直となる真上からの第１の観察角度（Ｌ１）の場合には、カラー特殊潜像（６）は、有色万線模様（１０）が視認でき、図３（ｂ）に示すように、基材（２）を斜めから観察した第２の観察角度（Ｌ２）では、背景部（１８）に囲まれたカラーの連続階調を備えた潜像模様（７）を視認できる。
【００３４】
次に、各々の模様について説明する。図４は、凸様模様（８）の構成を説明する平面図である。凸様模様（８）は、凸画線（９）が第１の方向（Ｓ１：図中→）に万線状に配置されている。第１の方向（Ｓ１）は、図４では図面に対して垂直方向となっているが、特に限定されるものではなく、決められた同じ方向を第１の方向（Ｓ１）とする。
【００３５】
凸様模様（８）を構成する凸画線（９）は、基材（２）の色と等色の第１の色を有する。また、視認原理の詳細は後述するが、基材（２）を第２の観察角度（Ｌ２）から観察した場合に潜像模様（７）を出現させるために、凸画線（９）の一方の斜面が他方の斜面を遮蔽しなければならないことから、この凸画線（９）は、不透明又は半透明のような透過率の低い特性を有しなければならない。さらに、出現する潜像模様（７）がフルカラーの連続階調を備えた画像であるため、そのカラーバランスを崩さないために、基材（２）と等色である必要がある。潜像模様（７）のカラーバランスを崩さないためにも、第１の色は白色系であることが好ましい。
【００３６】
凸様模様（８）を構成している複数の凸画線（９）は、図４の一部拡大図におけるＸ−Ｘ'断面及びＸ０−Ｘ０'断面を示した図である図５に示すように、１本の画線内において位相のずれの距離（Ｚ）が生じたレリーフ形状を有している。このレリーフ形状は、図４（ｂ）の四角囲いの領域の拡大図である図６（ａ）に示すように、背景部（１８）と潜像模様（７）を形成している部分については、基カラー画像（１５）の階調に対応して、細かくレリーフが設けられている。このレリーフの役割は、カラー特殊潜像（６）において明暗差を表現するためのものであり、後述する凸画線（９）上に形成される有色画線（１１）は直線状であるため、レリーフ形状の凸画線（９）に有色画線（１１）の重なる部分の幅を調整することで、潜像模様（７）の連続階調を表現する。詳細な配置関係及び具体的な作製方法については後述する。
【００３７】
なお、このレリーフ形状については、図６（ａ）に示すように、図４（ａ）の黒実線に示した部分を形成する形状の他、図６（ｂ）に示すように２段階に位相がずれている場合は、２階調を表現可能であり、図６（ｃ）に示すように連続的に位相がずれている場合は、連続階調を表現可能である。
【００３８】
図５の一部拡大図に示すレリーフ形状の位相のずれの距離（Ｚ）は、有色画線（１１）のピッチ（Ｐ）に対して１／２以下となる。その理由の詳細は後述するが、前述のとおり、凸画線（９）のレリーフ形状は、明暗差を表現するものであり、レリーフ形状における位相のずれの距離（Ｚ）が最大となる箇所は、背景部（１８）と潜像模様（７）との区分けの部分で、有色画線（１１）のピッチ（Ｐ）に対して１／２である。基カラー画像（１５）が連続階調となっていれば、潜像模様（７）も同様の連続階調を表現しなければならないため、有色画線（１１）のピッチ（Ｐ）の１／２以下で、基カラー画像（１５）の階調に対応して随時変化している。
【００３９】
図５に示す凸画線（９）の高さ（Ｈ）については、特に限定されるものではないが、前述したような、カラー形成体（１）をセキュリティ印刷物とした場合、１０μｍ〜１００μｍの範囲で形成されるのが好ましい。
【００４０】
凸画線（９）の高さ（Ｈ）を１００μｍより高くすることも可能であるが、基材（２）の厚さや基材（２）を構成する材料、更には、画線をインキにより形成可能な高さを考慮すると、基材（２） が必要以上に厚くなり、加工効率が悪くなるという問題が生じるため、好ましくない。また、高さ（Ｈ）を１０μｍより低くすることも可能であるが、基材（２）を第２の観察角度（Ｌ２）から観察した場合に、他方の斜面を遮蔽することが困難となり、潜像模様（７）が明確に視認できなくなるため、好ましくない。
【００４１】
また、凸画線（９）同士のピッチ（Ｐ）も、特に限定されるものではないが、カラー形成体（１）をセキュリティ印刷物とした場合、ピッチ（Ｐ）は、８０μｍ〜１，０００μｍの範囲で形成されるのが好ましい。
【００４２】
ピッチ（Ｐ）を１，０００μｍより広くすることも可能であるが、潜像模様（７）を付与するカラー特殊潜像（６）が大きくなり、カラー形成体（１）を構成するデザイン、例えば、他の印刷図柄の画像分解能が下がるので好ましくない。また、ピッチ（Ｐ）を８０μｍより狭くすることは、製造上困難であり、好ましくない。
【００４３】
凸画線（９）の画線幅（Ｗ１）については、ピッチ（Ｐ）に対応して形成される。視認性の良好な潜像模様（７）を形成するためには、ピッチ（Ｐ）に対してほぼ１／２の凸画線（９）の画線幅（Ｗ１）が好ましく、例えば、ピッチ（Ｐ）が８０μｍのときの凸画線（９）の画線幅（Ｗ１）は、４０μｍであり、ピッチ（Ｐ）が１，０００μｍのときの凸画線（９）の画線幅（Ｗ１）は、５００μｍというように、ピッチ（Ｐ）に対して凸画線（９）の画線幅（Ｗ１）を選定し、潜像模様（７）の視認性を鑑みて適宜調整すればよい。
【００４４】
次に、凸様模様（８）の上に印刷された有色万線模様（１０）について説明する。図７は、有色万線模様（１０）の平面図及びその一部拡大図である。有色万線模様（１０）は、図７（ａ）に示すように、有色画線（１１）が第１の方向（Ｓ１）に万線状に配置されて成り、第１の観察角度（Ｌ１）から観察すると同色の一様な万線模様として視認できる。この肉眼で一様に見える色を第２の色とすると、有色万線模様（１０）は、第２の色を有していることとなる。
【００４５】
有色画線（１１）は、図７（ａ）の一部拡大図である図７（ｂ）に示すように、第３の色を有する潜像要素（１４）と、第３の色とは補色関係の第４の色を有するカモフラージュ要素（１３）を備えている。このカモフラージュ要素（１３）と潜像要素（１４）は対を成して配置されており、潜像模様（７）の基となる基カラー画像（１５）におけるカラーバランスに合わせて、潜像模様（７）においてフルカラー表現したい箇所に、このカモフラージュ要素（１３）と潜像要素（１４）を配置することとなり、図７（ｂ）に示すカラー表示域（Ｃ）に該当する。
【００４６】
また、１本の有色画線（１１）は、前述のフルカラー表現しない箇所について、具体的には、背景部（１８）や人物の髪の毛やまゆ毛の無彩色で表現するところは、モノトーン表示域（Ｍ）として、カモフラージュ要素（１３）と潜像要素（１４）の混合色の第２の色で形成される。有色画線（１１）については、微細（具体的には後述する。）な幅の要素であるため、カラー表示域（Ｃ）については、第４の色のカモフラージュ要素（１３）と第３の色の潜像要素（１４）から成っているが、肉眼では二つの色が混色した状態で視認されるため、モノトーン表示域（Ｍ）の色と等色として視認され、結果的に、有色画線（１１）は、１本が１色によって形成されているかのように視認されることとなる。
【００４７】
なお、モノトーン表示域（Ｍ）については、有色画線（１１）が１本で形成されているように見えるが、カラー表示域（Ｃ）では第４の色で形成されているカモフラージュ要素（１３）が、モノトーン表示域（Ｍ）では、無彩色の第２の色で形成され、またカラー表示域（Ｃ）では第３の色で形成されている潜像要素（１４）が、モノトーン表示域（Ｍ）では、無彩色の第２の色で形成されている。実際にはモノトーン表示域（Ｍ）において、カモフラージュ要素（１３）と潜像要素（１４）の双方が第２の色で形成されているため、それぞれを識別できず、１本で形成されているように見えるものである。したがって、有色画線（１１）は、カモフラージュ要素（１３）と潜像要素（１４）で形成されて成る。
【００４８】
以上のことから、有色万線模様（１０）が一様な第２の色で視認されるということは、前述のとおり、第３の色と第４の色の混合色が第２の色となり、モノトーン表示域（Ｍ）を構成している有色画線（１１）は、第２の色として識別される。
【００４９】
このカモフラージュ要素（１３）及び潜像要素（１４）のカラー表示域（Ｃ）とモノトーン表示域（Ｍ）との境界については、肉眼では識別ができないため、潜像模様（７）の境界線で明瞭に分かれていてもよいが、より違和感のないようにするには、図７（ｂ）のように、潜像模様（７）の境界を挟んだ両側が第２の色、いわゆる第３の色と第４の色の混合色によるグラデーションとなっていることが好ましい。
【００５０】
作製方法の詳細は後述するが、潜像要素（１４）は、基カラー画像（１５）のフルカラーの連続階調に対応した色彩を有しているため、１本の潜像要素（１４）内でも色彩が変化することもあるが、複数の潜像要素（１４）においても各々異なる色となり、潜像要素（１４）を構成する色を総称して第３の色という。なお、本発明において「基カラー画像（１５）のフルカラーの連続階調に対応した色彩」とは、基カラー画像（１５）の各画素の色彩と、有色万線模様（１０）を構成している有色画線（１１）の同じ位置については、同じ色彩を有することをいう。同様に、カモフラージュ要素（１３）は、潜像要素（１４）と補色関係を有していることから、複数の潜像要素（１４）が基カラー画像（１５）のフルカラーの連続階調に対応して各々異なる色を有していることにあわせ、カモフラージュ要素（１３）についても、各々異なる色を有しているが、総称して第４の色という。
【００５１】
潜像要素（１４）が基材（２）を第２の観察角度（Ｌ２）から観察した場合に潜像模様（７）を形成するための要素であることに対し、カモフラージュ要素（１３）は、第１の観察角度（Ｌ１）から観察した場合に潜像模様（７）を視認できないようにするための要素である。そのため、カモフラージュ要素（１３）の第４の色は、潜像要素（１４）の第３の色と補色関係であることが必要となる。具体的には、１色で構成されているモノトーン表示域（Ｍ）の有色画線（１１）は、潜像模様（７）の中の無彩色で構成されている領域を構成するものである。この無彩色は、グレー色及び黒色のように、彩度を有さない色である。
【００５２】
本発明の潜像模様（７）は、人物の顔画像（３）を主な対象としていることから、人物の顔を例にとれば、髪の毛やまゆ毛がこの無彩色により構成されている領域となる。カモフラージュ要素（１３）と潜像要素（１４）は補色関係を有しているが、補色を混合するとグレーの無彩色となる。したがって、人物の顔画像（３）における色彩を有する領域を不可視化するために、髪の毛やまゆ毛の無彩色に合わせることで、潜像模様（７）が全て無彩色となっているため、目視での識別ができなくなっている。さらに、潜像模様（７）の周囲の背景部（１８）をモノトーン表示域（Ｍ）として無彩色の第２の色で形成することで、潜像模様（７）と背景部（１８）との識別もできなくなり、完全に潜像模様（７）を不可視化することができる。
【００５３】
潜像模様（７）と背景部（１８）との識別については、前述した凸画線（９）の一部に形成されているレリーフ部（１２）で行うこととなる。レリーフ部（１２）により、凸画線（９）は、画線の一部で位相が異なる。この位相の差により、明度の差を表現する。したがって、この明度の差により、潜像模様（７）と背景部（１８）とが識別される。
【００５４】
有色画線（１１）同士のピッチ（Ｐ）は、凸画線（９）同士のピッチ（Ｐ）に等しく、８０μｍ〜１，０００μｍの範囲で形成されるのが好ましい。
【００５５】
また、有色画線（１１）の画線幅（Ｗ２）は、少なくとも１０μｍより広く、上限は、ピッチ（Ｐ）に対して、９／１０の範囲の有色画線（１１）の画線幅（Ｗ２）で形成される。これは、仮に、有色画線（１１）の画線幅（Ｗ２）がピッチ（Ｐ）に対して９／１０より広いと、凸画線（９）のレリーフ部（１２）において有色画線（１１）が重なるので、コントラストが得られず潜像模様（７）が視認できないからである。また、有色画線（１１）の画線幅（Ｗ２）が１０μｍより狭いと、凸画線（９）と有色画線（１１）の重なる面積が小さいため潜像模様（７）の視認性が低下するからである。
【００５６】
ただし、潜像模様（７）のカラーバランスを考慮すると、ピッチ（Ｐ）のほぼ１／２の有色画線（１１）の画線幅（Ｗ２）であることが好ましい、いわゆる有色画線（１１）の画線幅（Ｗ２）と、有色画線（１１）同士の間の非画線の幅（Ｗ３）はほぼ等しくなる。
【００５７】
また、有色画線（１１）の画線幅（Ｗ２）におけるカモフラージュ要素（１３）と潜像要素（１４）のそれぞれの画線幅（Ｗ２−１、Ｗ２−２）の割合については、ほぼ１／２ずつで等しくなる。前述のとおり、カモフラージュ要素（１３）と潜像要素（１４）は補色関係を有し、二つの要素の混合色が無彩色となることから、仮に、各要素の画線幅（Ｗ２−１、Ｗ２−２）が異なると、混合色が無彩色とはならなくなって、第１の観察角度（Ｌ１）からの観察においても潜像模様（７）が基カラー画像（１５）の色彩又は基カラー画像（１５）の補色の色彩で若干視認できてしまい、そもそもの潜像効果を失ってしまう。
【００５８】
有色画線（１１）を形成する方法としては、公知のＩＪＰ方式、オフセット印刷方式、フレキソ印刷方式等、凸様模様（８）上に形成できれば特に限定はない。ただし、潜像模様（７）の鮮明なフルカラーの連続階調を表現するためには、凸画線（９）との高い刷り合せ精度を要することから、ＩＪＰ方式等の無版印刷機（デジタル印刷機）が好ましい。
【００５９】
本発明のカラー特殊潜像（６）をＩＪＰ方式で形成することにより、後述する各模様（８、１０）のデータをカラー形成体（１）１枚ごとに異ならせて可変情報として付与することもできる。特に、基カラー画像（１５）を人物（顔）とすることで、図１に示したような旅券冊子として十分活用できることとなる。
【００６０】
有色画線（１１）が有している第２の色、第３の色及び第４の色については、プロセスカラーのシアン、マゼンタ及びイエローを用いてもよいが、所望するそれぞれの色を、各種顔料等を混合した特色により形成してもよい。プロセスカラーを用いた場合にはシアン、マゼンタ及びイエローの３色のカラーバランスが品質を左右する。一方、特色を用いた場合は２色で構成するため、プロセスカラーのカラーバランスの不安定要因が緩和されるという利点がある。
【００６１】
ここで本発明における「フルカラー」の意味を説明する。前述のとおり、有色画線（１１）を形成するための色については、プロセスカラーの３色を用いると、基カラー画像（１５）と同じ色彩をフルカラーで表現できる。ただし、本発明のカラー特殊潜像（６）の対象とする基カラー画像（１５）は人物（顔）であることから、髪の毛やまゆ毛を無彩色で表現し、残りの色はほぼ肌色となることから、特色２色を用いるとカラー特殊潜像（６）を形成することができる。したがって、プロセスカラーと特色のどちらを用いてカラー特殊潜像（６）を形成するかは、作製者が適宜決めればよいが、特色を用いた場合には、一般的なフルカラーとはならない。ただし、特色を用いた場合でも、限りなくフルカラーに近い模様として視認できるため、本発明における「フルカラー」とは、連続階調を有するカラー模様のことをいい、一般的なプロセスカラーを用いた連続階調の模様と、特色を用いた連続階調の模様の両方が該当するものとする。この特色を用いた有色万線模様（１０）については、後述する。
【００６２】
次に、有色画線（１１）と凸画線（９）の配置関係について説明する。図８及び図９は、凸画線（９）と、その上に形成する有色画線（１１）の配置関係を示す。図９（ａ）は、図８（ｂ）に示すＸ１−Ｘ１'断面であり、モノトーン表示域（Ｍ）にあって、基カラー画像（１５）の「白色背景部」にある場合、第２の観察角度（Ｌ２）から観察した際、有色画線（１１）の中心線（Ｔ２）が凸画線（９）の中心線（Ｔ１）に対して、凸画線（９）の画線幅（Ｗ１）の１／２だけ観察者側の奥方向にずれていることから、少なくともカモフラージュ要素（１３）及び潜像要素（１４）が凸画線（９）の中心線（Ｔ１）に対して、観察者から見て反対側の斜面に配置され、凸画線（９）に遮蔽されることで視認不可能となっている。したがって、観察者には、第１の色、すなわち白色系の色として認識される。
【００６３】
一方、図９（ｂ）は、図８（ｂ）に示すＸ２−Ｘ２'断面であり、カラー表示域（Ｃ）にあって、基カラー画像（１５）の「肌色顔部」にある場合、第２の観察角度（Ｌ２）から観察した際、有色画線（１１）の中心線（Ｔ２）が凸画線（９）の中心線（Ｔ１）にほぼ等しいことから、有色画線（１１）は、凸画線（９）の上に形成され、少なくともカモフラージュ要素（１３）が凸画線（９）に遮蔽され、視認不可能となっている。したがって、凸画線（９）の中心線（Ｔ１）に対して、観察者から見て反対側の斜面に配置され、潜像要素（１４）は観察者から見て手前の凸画線（９）の斜面に配置される。これにより、観察者には潜像要素（１４）の第３の色、すなわち肌色として認識される。
【００６４】
ただし、前述したように、潜像模様（７）は連続階調画像であるため、微妙な階調差を表現しなければならないことから、凸画線（９）は、連続階調に対応した微妙な曲線を有しているため、カモフラージュ要素（１３）と潜像要素（１４）が完全に中心線（Ｔ１）を境に区分けされて配置される、いわゆる凸画線（９）の中心線（Ｔ１）と有色画線（１１）の中心線（Ｔ２）が同じ位置に配置されないところも存在する。
【００６５】
すなわち、有色画線（１１）は直線形状を有しているが、凸画線（９）は、連続階調を表現するため、基カラー画像（１５）の階調に対応した曲線を有している。凸画線（９）の曲線における最大の位相のずれの距離（Ｚ）は、有色画線（１１）の画線幅（Ｗ２）のほぼ１／２の距離である。この基カラー画像（１５）の連続階調に対応して凸画線（９）の形状を形成する方法は後述する。この凸画線（９）の曲線形状により、直線形状に形成されている有色画線（１１）の潜像要素（１４）が、凸画線（９）の中心線（Ｔ１）に対して、観察者から見て反対側の斜面（図８（ｂ）中上側）に配置されているところもある。この潜像要素（１４）と凸画線（９）との位置関係が微細な連続階調を表現していることとなる。
【００６６】
位相のずれの距離（Ｚ）については、無彩色の第２の色における明暗の変化及びカモフラージュ要素（１３）の遮蔽を考慮すると、有色画線（１１）の画線幅（Ｗ２）のほぼ１／２に該当する距離とすることが好ましい。仮に１／２より狭い距離又は広い距離の位相のずれ量とした場合、潜像模様（７）のカラーバランスが崩れ、基カラー画像（１５）に忠実なフルカラーの連続階調を表現できなくなってしまう。
【００６７】
次に、プロセスカラーを用いずに、特色を用いた有色万線模様（１０）について説明する。特色を用いて有色万線模様（１０）を形成する場合には、プロセスカラーの３色を用いる場合よりも１色少なく、２色によって形成することが可能となる。前述のとおり、本発明の基カラー画像（１５）について、人物（顔）を対象とした場合、肌色の主成分が赤血球のヘモグロビンの色、すなわち赤色であることから、色空間の中の赤成分（Ｒ成分）とその近傍色により作製したインキを用いることができる。このインキにより形成された潜像要素（１４）の肌色を第５の色という。
【００６８】
特色の第５の色を用いて潜像要素（１４）を形成した場合においても、前述のプロセスフルカラーを用いた場合と同様に、カモフラージュ要素（１３）は、潜像要素（１４）の第５の色と補色関係を有する第６の色を有する。この第６の色についても、プロセスカラーで作製するものではなく、第５の色と同様に、特色により形成されたものである。
【００６９】
特色による有色画線（１１）についても、画線幅（Ｗ）、ピッチ（Ｐ）、配置関係等、構成は前述したプロセスカラーを用いて形成する場合と同様であるため、詳細は省略する。また、作製方法については、後述する。
【００７０】
次に、本発明のカラー形成体（１）の作製方法について説明する。なお、本発明は、以下に述べる実施するための形態に限定されるものではなく、特許請求の範囲記載における技術的思想の範囲内であれば、その他の様々な実施の形態が含まれる。
【００７１】
（カラー形成体の作製装置）
本発明は、写真等のフルカラー階調を有する基カラー画像（１５）を、画線を用いて構成されているカラー特殊潜像（６）から成る印刷模様内に、フルカラー階調のイメージとして埋め込み、そのままのフルカラー階調のイメージとして出現することが可能なカラー形成体（１）作製方法に関するものである。本実施の形態におけるカラー形成体（１）用のデータの作製装置は、図１０のブロック図に示されるように、入力手段（Ｍ１）、編集手段（Ｍ２）、出力手段（Ｍ３）、表示手段（Ｍ４）、通信インターフェース（Ｍ５）及びデータベース（Ｍ６）を少なくとも備えている。
【００７２】
入力手段（Ｍ１）は、カラー画像入力手段（Ｍ１ａ）と情報入力手段（Ｍ１ｂ）とで構成され、カラー画像入力手段（Ｍ１ａ）における基カラー画像（１５）の入力は、デジタルカメラ、スキャナ等、特に限定されるものではない。また、データベース（Ｍ６）又は通信インターフェース（Ｍ５）によってあらかじめ登録されたデータベースサーバから画像、テキスト等を得ることもできる。
【００７３】
一方、情報入力手段（Ｍ１ｂ）は、キーボード等からの入力、また、データベース（Ｍ６）と同じパソコン内に登録されている数値情報、通信インターフェース（Ｍ５）によってあらかじめ入力された外部のデータベースサーバから数値情報を得ることができる。この数値情報とは、後述する第１の画像、第２の画像及び第３の画像に関わる出力解像度等である。
【００７４】
編集手段（Ｍ２）は、前処理画像生成手段（Ｍ２ａ）と、万線模様生成手段（Ｍ２ｂ）と、凸様模様生成手段（Ｍ２ｃ）とで構成されている。通信インターフェース（Ｍ５）又はデータベース（Ｍ６）から得られたカラー画像、数値情報、パターンファイル等により、前処理画像生成手段（Ｍ２ａ）では、前処理画像が生成され、万線模様生成手段（Ｍ２ｂ）では、有色万線模様（１０）が生成され、凸様模様生成手段（Ｍ２ｃ）では、凸様模様（８）が生成される。
【００７５】
出力手段（Ｍ３）は、ＵＶ・インクジェットプリンタ等のコンピュータからの画像を印刷可能な印刷装置等であり、特に限定されるものではない。表示手段（Ｍ４）は、パソコンのモニタ、専用のモニタ等、特に限定されるものではない。また、通信インターフェース（Ｍ５）は、ＵＳＢ、ＲＳ−２３２Ｃ、ＩＥＥＥ１３９４等、特に限定されるものではない。
【００７６】
次に、カラー形成体（１）の作製方法について、図１１を用いて詳細に説明する。データの作製方法については、一点鎖線に囲まれた大きく三つの処理フローから構成されている。前処理フローは、前処理画像生成手段（Ｍ２ａ）において実行され、有色万線模様生成フローは、万線模様生成手段（Ｍ２ｂ）において実行され、凸様模様生成フローは、凸様模様生成手段（Ｍ２ｃ）において実行される。
【００７７】
（前処理フロー）
まず、前処理フローについて説明する。カラー画像を設定するＳｔｅｐ１は、基カラー画像設定工程において、例えば、デジタルカメラ等から入力されたカラー画像を設定する。本実施の形態は、図１２に示された顔写真から成る基カラー画像（１５）として、例えば２４ｂｉｔＲＧＢ形式といった多値カラー画像を用い、画像解像度を１，２００ｄｐｉ、画像サイズを１，５３５×１，５３５Ｐｉｘｅｌとした。
【００７８】
なお、必要に応じてＳｔｅｐ１−２の基カラー画像（１５）の彩度を上げる彩度調整工程を加えてもよい。彩度を上げる理由としては、図３（ｂ）で示した基材（２）を傾けて観察した際に、より鮮やかにフルカラー画像を現出させるためである。
【００７９】
次に、Ｓｔｅｐ２の領域平均化処理工程では、基カラー画像（１５）を領域平均化処理によって多値カラー画像から成る領域平均化画像（１９）に変換する。領域平均化処理は、図１３に示したように、基カラー画像（１５）中の横画素数（ｖ）と縦画素数（ｈ）の領域内における近傍の画素濃度で平均値にすることである。本実施の形態では、横画素数（ｖ）を２４Ｐｉｘｅｌ、縦画素数（ｈ）を４８Ｐｉｘｅｌとした。なお、縦画素数（ｈ）は、カラー特殊潜像（６）のピッチ（Ｐ）に相当するものである。
【００８０】
次に、Ｓｔｅｐ２で変換された領域平均化画像（１９）に水平ボカシ処理を施すことで、図１４に示したように、横画素数（ｖ）の方向に所定の画素数の近傍をぼかした多値カラー画像から成る水平ボカシ処理画像（２０）に変換するＳｔｅｐ２−２の水平ボカシ処理工程を加えてもよい。水平ボカシ処理は後述する万線模様と凸様模様の高品質化のための処理であり、必ずしも必要とされる処理ではない。本実施の形態では、横画素数（ｖ）の方向に２４Ｐｉｘｅｌの水平ボカシ処理を施した。
【００８１】
領域平均化画像（１９）又は水平ボカシ処理画像（２０）は、万線模様生成フロー及び凸様模様生成フローに移行し、各々の処理が自動的に実行される。
【００８２】
（凸様模様生成フロー）
次に、凸様模様生成フローについて説明する。Ｓｔｅｐ３は、多値モノクロ画像生成工程として、二つの多値モノクロ画像を生成する。一つ目の画像は、Ｓｔｅｐ２で変換された領域平均化画像（１９）又はＳｔｅｐ２−２で変換された水平ボカシ処理画像（２０）が、図１５（ａ）に示したように、例えば８ｂｉｔグレ―スケール形式といった第１の多値モノクロ画像（２１）に変換される。
【００８３】
二つ目の画像は、一つ目の画像として生成された第１の多値モノクロ画像（２１）の階調反転、すなわち各々の画素濃度値（グレーレベル）が反転され、図１５（ｂ）に示したように、第１の多値モノクロ画像（２１）に対してネガ状の第２の多値モノクロ画像（２２）に変換される。例えば、第１の多値モノクロ画像（２１）が８ｂｉｔ形式であった場合、多値情報（D0）の画像全体の各々の画素の濃度値（０〜２５５のグレーレベル）を数式１で変換することによって階調反転された多値情報（D1）となる。
【００８４】
（数式１）
2018199323.tif 000003
【００８５】
次に、Ｓｔｅｐ４では、第１の２値画像生成工程として、まず、Ｓｔｅｐ３で生成された第１の多値モノクロ画像（２１）に、図１６に示したような第１のパターンファイル（Ａ）を適用する。第１のパターンファイル（Ａ）は、臨界値配列画像とも呼ばれる多値画像であり、縦の画素数は、Ｓｔｅｐ２において近傍の画素濃度で平均値にする際に用いられた縦画素数（ｈ）と等しく、本実施の形態では４８Ｐｉｘｅｌとしている。第１のパターンファイル（Ａ）が第１の多値モノクロ画像（２１）全体に適用されることで、図１６に示したポジ状の第１−１の２値画像（２３）が生成される。
【００８６】
あわせてＳｔｅｐ３で生成されたネガ状の第２の多値モノクロ画像（２２）に、図１７に示したような第２のパターンファイル（Ｂ）を適用する。第２のパターンファイル（Ｂ）は、第１のパターンファイル（Ａ）と同じく臨界値配列画像とも呼ばれる多値画像であり、縦の画素数は、Ｓｔｅｐ２において近傍の画素濃度で平均値にする際に用いられた縦画素数（ｈ）と等しく、本実施の形態では、４８Ｐｉｘｅｌとしている。第２のパターンファイル（Ｂ）がネガ状の第２の多値モノクロ画像（２２）全体に適用されることで、図１７に示したネガ状の第１−２の２値画像（２４）が生成される。
【００８７】
次に、Ｓｔｅｐ５の凸様模様生成工程では、Ｓｔｅｐ４で生成された第１−１の２値画像（２３）と第１−２の２値画像（２４）が合成され、図１８に示す第１の２値画像となる凸様模様（８）の基画像（２５）が完成する。この凸様模様（８）の基画像（２５）を印刷したものが図２に示された凸様模様（８）である。この時、第１−１の２値画像（２３）と第１−２の２値画像（２４）の合成については、それぞれの画像を示す全体領域同士は同じ領域に配置されることとなるが、第１−１の２値画像（２３）をポジ状に構成しているポジ要素（４０）と、第１−２の２値画像（２４）をネガ状に構成しているネガ要素（４１）とは重ならず、図１８の一部拡大図に示した第１の２値画像のように、隣接して配置されていることとなる。
【００８８】
（万線模様生成フロー）
次に、図１１の点線で囲われた万線模様生成フローについて説明する。Ｓｔｅｐ６は多値カラー情報変換工程として、領域平均化画像（１９）又は水平ボカシ処理画像（２０）の基多値カラー情報（R0，G0，B0）を、カモフラージュ要素（１３）及び潜像要素（１４）の基となる多値カラー情報に変換する。まず、カモフラージュ要素（１３）用として、Ｓｔｅｐ２で変換された領域平均化画像（１９）又はＳｔｅｐ２−２で変換された水平ボカシ処理画像（２０）のいずれかの多値カラー画像の階調反転が行われる。例えば、領域平均化画像（１９）又は水平ボカシ処理画像（２０）が２４ｂｉｔＲＧＢ形式であった場合、基多値カラー情報（R0，G0，B0）の画像全体の各々の画素の濃度値（０〜２５５のグレーレベル）を数式２で変換することによって階調反転された第１−１の多値カラー情報（R1，G1，B1）となる。すなわち、基カラー画像（１５）の基多値カラー情報（R0，G0，B0）が、例えば、図１９（ａ）に示す画素の濃度値であったとき、階調反転された第１−１の多値カラー情報（R1，G1，B1）は、図１９（ｂ）に示す画素の濃度値に変換される。
【００８９】
（数式２）
2018199323.tif 000004
【００９０】
次に、Ｓｔｅｐ２で変換された領域平均化画像（１９）又はＳｔｅｐ２−２で変換された水平ボカシ処理画像（２０）のいずれかの多値カラー画像の色相反転が行われる。例えば、領域平均化画像（１９）又は水平ボカシ処理画像（２０）が２４ｂｉｔＲＧＢ形式であった場合、基多値カラー情報（R0，G0，B0）の画像全体の各々の画素の濃度値（０〜２５５のグレーレベル）を数式３で変換することによって色相反転された第１−２の多値カラー情報（R2，G2，B2）となる。すなわち、基カラー画像（１５）の基多値カラー情報（R0，G0，B0）が、例えば、図１９（ａ）に示す画素の濃度値であったとき、色相反転された第１−２の多値カラー情報（R2，G2，B2）は、例えば、図１９（ｃ）に示す画素の濃度値に変換される。
【００９１】
（数式３）
2018199323.tif 000005
【００９２】
次に、階調反転された第１−１の多値カラー情報（R1，G1，B1）と、色相反転された第１−２の多値カラー情報（R2，G2，B2）を用い、画像全体の各々の画素の濃度値（０〜２５５のグレーレベル）を数式４で変換して合成することによって平均化（５０％合成）された第１の多値カラー情報（R4，G4，B4）となる。すなわち、平均化された第１の多値カラー情報（R4，G4，B4）は、例えば、図１９（ｅ）に示す画素の濃度値に変換される。第１の多値カラー情報（R4，G4，B4）を備えた画像が第１の多値カラー画像（２６）となる。
【００９３】
（数式４）
2018199323.tif 000006
【００９４】
次に、潜像要素（１４）用として、Ｓｔｅｐ２で変換された領域平均化画像（１９）又はＳｔｅｐ２−２で変換された水平ボカシ処理画像（２０）のいずれかの多値カラー画像の明度反転が行われる。例えば、領域平均化画像（１９）又は水平ボカシ処理画像（２０）が２４ｂｉｔＲＧＢ形式であった場合、基多値カラー情報（R0，G0，B0）の画像全体の各々の画素の濃度値（０〜２５５のグレーレベル）を数式５で変換することによって明度反転された第２−１の多値カラー情報（R3，G3，B3）となる。すなわち、基カラー画像（１５）の基多値カラー情報（R0，G0，B0）が、例えば、図１９（ａ）に示す画素の濃度値であったとき、明度反転された第２−１の多値カラー情報（R3，G3，B3）は、例えば、図１９（ｄ）に示す画素の濃度値に変換される。
【００９５】
（数式５）
2018199323.tif 000007
【００９６】
次に、Ｓｔｅｐ２で変換された領域平均化画像（１９）又はＳｔｅｐ２−２で変換された水平ボカシ処理画像（２０）から成る基多値カラー情報（R0，G0，B0）と明度反転された第２−１の多値カラー情報（R3，G3，B3）を用い、画像全体の各々の画素の濃度値（０〜２５５のグレーレベル）を数式６で変換して合成することによって平均化（５０％合成）された第２の多値カラー情報（R5，G5，B5）となる。平均化された第２の多値カラー情報（R5，G5，B5）は、例えば、図１９（ｆ）に示す画素の濃度値に変換される。第２の多値カラー情報（R5，G5，B5）を備えた画像が第２の多値カラー画像（２７）となる。
【００９７】
（数式６）
2018199323.tif 000008
【００９８】
次に、Ｓｔｅｐ７のマスク処理工程では、Ｓｔｅｐ６で平均化された第１の多値カラー情報（R4，G4，B4）を、図２０（ａ）に示すように第１の多値カラー画像（２６）に展開し、その際に画線状の上部スリット（Ｑ１）マスクを適用する。これにより、図２０（ａ）の一部拡大図である図２０（ｂ）に示すように、補色関係の第４の色を有するカモフラージュ要素（１３）が形成される。
【００９９】
一方、Ｓｔｅｐ６で平均化された第２の多値カラー情報（R5，G5，B5）を、図２１（ａ）に示すように第２の多値カラー画像（２７）に展開し、その際に画線状の下部スリット（Ｑ２）マスクを適用する。これにより、図２１（ａ）の一部拡大図である図２１（ｂ）に示すように、補色関係の第３の色を有する潜像要素（１４）が形成される。
【０１００】
さらに、Ｓｔｅｐ８の有色万線模様生成工程では、Ｓｔｅｐ７で生成された第１の多値カラー画像（２６）と第２の多値カラー画像（２７）とが合成され、図７で示された有色万線模様（１０）の基画像が完成する。有色万線模様（１０）の基画像を印刷したものが図２に示された有色万線模様（１０）である。
【０１０１】
図１１のフロー図では、凸様模様（８）の画像データと有色万線模様（１０）の画像データの作製までの工程を示しているが、前述した基材（２）上にそれぞれのデータを用いて形成する凸様模様形成工程と有色万線形成工程により本発明のカラー形成体（１）を作製することができる。
【０１０２】
（特色万線模様生成フロー）
前述したように、本発明におけるフルカラーは、特色で表現してもよい。特色を用いる利点としては、印刷色数を減らすこと又は色安定性が向上することである。図２２で特色万線模様生成フローについて説明する。
【０１０３】
Ｓｔｅｐ９の色域抽出工程では、Ｓｔｅｐ２で変換された領域平均化画像（１９）の多値カラー画像又はＳｔｅｐ２−２で変換された水平ボカシ処理画像（２０）において、特定の色域（肌色）抽出が行われる。なお、基カラー画像（１５）は人物（顔）であり、人物（顔）の肌色の主成分は赤血球のヘモグロビンの色、すなわち赤色であることから、図２３に示すように、基カラー画像（１５）が２４ｂｉｔＲＧＢ形式であった場合、色空間（２８）のうち赤成分（Ｒ成分）とその近傍色を抽出すればよい。これにより、赤色成分が抽出された第３の多値モノクロ画像（２９）が得られる。
【０１０４】
次に、Ｓｔｅｐ１０の多値モノクロ階調変換工程では、Ｓｔｅｐ９で得られた赤色成分が抽出された第３の多値モノクロ画像（２９）を、メモリ上に準備された２系統の８ｂｉｔグレースケール画像としたとき、それぞれにトーンカーブの適用が行われる。本実施の形態では、図２４に示されたように、１系統目の第３の多値モノクロ画像（２９）は、第１のトーンカーブ（３０）が適用される。濃度値２５５を濃度値２２２とし、濃度値０を濃度値１９９とし、リニアな連続性をもったトーンカーブとしている。この結果、第１のトーンカーブ（３０）を適用後の多値モノクロポジ画像（３１）は、一見してコントラストの低いポジ状となって生成される。また、２系統目の第３の多値モノクロ画像（２９）は、第２のトーンカーブ（３２）が適用される。濃度値２５５を濃度値２３２とし、濃度値０を濃度値２５５とし、リニアな連続性をもったトーンカーブとしている。この結果、第２のトーンカーブ（３２）を適用後の多値モノクロネガ画像（３３）は、一見してコントラストの低いネガ状となって生成される。
【０１０５】
次に、Ｓｔｅｐ１１の特色用の２値画像生成工程では、まず、Ｓｔｅｐ１０で生成された１系統目の多値モノクロポジ画像（３１）において、図２５に示す下部用の第３のパターンファイル（Ｋ１）を適用し、図２６に示す第２−１の２値画像（３４）が生成される。あわせて、Ｓｔｅｐ１０で生成された２系統目の多値モノクロネガ画像（３３）において、図２５に示す上部用の第４のパターンファイル（Ｋ２）を適用し、図２６に示す第２−２の２値画像（３５）が生成される。この第２−１の２値画像（３４）と、第２−２の２値画像（３５）とをＳｔｅｐ１２の２値画像の第２の合成工程で合成することにより、図２６に示す第２の２値画像（３６）となり、これがフルカラーにおける肌色用画像となる。
【０１０６】
また、Ｓｔｅｐ１０で生成された１系統目の多値モノクロポジ画像（３１）において、図２５に示す下部用の第５のパターンファイル（Ｋ３）を適用し、図２７に示す第３−１の２値画像（３７）が生成される。さらにＳｔｅｐ１０で生成された２系統目の多値モノクロネガ画像（３３）において、図２５に示す上部用の第６のパターンファイル（Ｋ４）を適用し、図２７に示す第３−２の２値画像（３８）が生成される。この第３−１の２値画像（３７）と、第３−２の２値画像（３８）とをＳｔｅｐ１３の２値画像の第３の合成工程で合成することにより、図２７に示す第３の２値画像（３９）となり、これがフルカラーにおける補色用画像となる。
【０１０７】
さらに、Ｓｔｅｐ１４の特色用有色万線模様生成工程では、Ｓｔｅｐ１２の２値画像の第２の合成工程で生成された第２の２値画像（３６）、いわゆる肌色用画像と、Ｓｔｅｐ１３の２値画像の第３の合成工程で生成された第３の２値画像（３９）、いわゆる補色用画像を、それぞれの画像を合成して有色万線模様（１０'）を生成する。この有色万線模様（１０'）は、図２８の一部拡大図に示すように、図面上の上側に配置されている要素が、カモフラージュ要素（１３'）となり、図面上の下側に配置されている要素が潜像要素（１４'）となる。
【０１０８】
図２８に示した特色用の有色万線模様（１０'）は、当然、特色を２色準備して印刷してもよいが、図２６に示す第２の２値画像（３６）と、図２７に示す第３の２値画像（３９）は、それぞれの画像を、特色を色画像化し合成した多値カラー画像にし、出力手段（Ｍ３）の色分解手段にてＣＭＹＫ化して印刷してもよい。
【０１０９】
図２２のフロー図では、特色を用いて有色万線模様（１０）を形成するための画像データの作製までの工程を示しているが、前述した基材（２）上に、先に説明した凸様模様（８）の画像データを用いて形成する凸様模様形成工程と、この特色用の有色万線模様（１０'）の画像データを用いて形成する有色万線形成工程により、本発明のカラー形成体（１'）を作製することができる。
【０１１０】
次に、前述したカラー形成体（１）を図３（ａ）に示す第１の観察角度（Ｌ１）、すなわち、カラー形成体（１）を真上方向から観察した場合に視認される副カラー模様（４３）を付与した形態について説明する。この副カラー模様（４３）を付与することにより、カラー形成体（１）の観察角度を異ならせることで、異なる画像にスイッチする効果を有することができる。
【０１１１】
（副カラー模様の付与）
副カラー模様（４３）を有するカラー形成体（１）は、図２９（ａ）に示すように、観察者の視点が基材（２）に対して垂直となる真上からの第１の観察角度（Ｌ１）の場合、カラー特殊潜像模様（４２）は、前述の基カラー画像（１５）とは異なる副カラー模様（４３）を視認することができ、図２９（ｂ）に示すように、基材（２）を斜めから観察する第２の観察角度（Ｌ２）では、カラーの連続階調を備えた潜像模様（７）を視認できる。つまり、真上からの観察と斜めからの観察とでカラー画像がスイッチするカラー形成体（１）である。
【０１１２】
副カラー模様（４３）を形成する画線は、基材（２）とは異なる第７の色として、プロセスカラー又は特色により凸様模様（８）及び有色万線模様（１０）と同様のピッチで万線状に形成され、基材（２）を第２の観察角度（Ｌ２）から視認した場合に凸画線（９）の死角となる位置に形成する必要がある。すなわち、図９（ａ）に示す凸画線（９）の中心線（Ｔ１）に対して、観察者から見て反対側の斜面に配置される。このとき重要なのは、副カラー模様（４３）と潜像模様（７）が観察角度により完全にスイッチして確認できるようにするため、潜像模様（７）を形成するための潜像要素（１４）と副カラー模様（４３）を形成する副カラー画線（４４）が重ならないように配置される。これにより、副カラー模様（４３）を形成する画線は、凸画線（９）に遮蔽されることで視認不可能な状態となる。
【０１１３】
（副カラー模様生成工程）
副カラー模様（４３）の生成工程について、図３０に示すフローを用いて詳細に説明する。Ｓｔｅｐ１７は、多値モノクロ画像生成工程として、二つの多値モノクロ画像を生成する。一つ目の画像は、前述のＳｔｅｐ２で変換された領域平均化画像（１９）又はＳｔｅｐ２−２で変換された水平ボカシ処理画像（２０）が、例えば、８ｂｉｔグル―スケール形式といった第４の多値モノクロ画像に変換される。
【０１１４】
二つ目の画像は、一つ目の画像として生成された第４の多値モノクロ画像の階調反転、すなわち、各々の画素濃度値（グレーレベル）が反転され、第４の多値モノクロ画像に対してネガ状の第５の多値モノクロ画像に変換される。
【０１１５】
Ｓｔｅｐ１７で生成された第４の多値モノクロ画像及び第５の多値モノクロ画像は、図１１の凸様模様生成工程と類似しているが、副カラー模様準備処理工程では、観察者から見て凸画線（９）の反対側に副カラー模様（４３）を形成する必要があることから、この位置を特定するために別の工程として多値モノクロ画像を生成する工程である。
【０１１６】
次に、Ｓｔｅｐ１８では、第４の２値画像生成工程として、まず、Ｓｔｅｐ１７で生成された第４の多値モノクロ画像に、図３１に示したような第７のパターンファイル（Ｋ５）を適用する。第７のパターンファイル（Ｋ５）の縦の画素数は、Ｓｔｅｐ２において近傍の画素濃度で平均値にする際に用いられた縦画素数（ｈ）と等しく、本実施の形態では４８Ｐｉｘｅｌとしている。第７のパターンファイル（Ｋ５）が第４の多値モノクロ画像全体に適用されることで、図３１に示したポジ状の第４−１の２値画像（４５）が生成される。
【０１１７】
あわせてＳｔｅｐ１７で生成されたネガ状の第５の多値モノクロ画像に、図３２に示したような第８のパターンファイル（Ｋ６）を適用する。第８のパターンファイル（Ｋ６）の縦の画素数は、Ｓｔｅｐ２において近傍の画素濃度で平均値にする際に用いられた縦画素数（ｈ）と等しく、本実施の形態では、４８Ｐｉｘｅｌとしている。第８のパターンファイル（Ｋ６）がネガ状の第５の多値モノクロ画像全体に適用されることで、図３２に示したネガ状の第４−２の２値画像（４６）が生成される。
【０１１８】
次に、Ｓｔｅｐ１９の副カラー画像用マスク生成処理では、Ｓｔｅｐ１８で生成された第４−１の２値画像（４５）と第４−２の２値画像（４６）が合成され、図３３に示す第１の２値画像となる副カラー画像用マスクの基画像（４７）が完成する。
【０１１９】
（前処理フロー）
副カラー模様（４３）の生成における前処理フローについて説明する。副カラー画像（４８）を設定するＳｔｅｐ１５は、副カラー画像設定工程において、例えば、デジタルカメラ等から入力されたカラー画像を設定する。本実施の形態は、図３４に示された桜の花びらからなる副カラー画像（４８）として、例えば、２４ｂｉｔＲＧＢ形式といった多値カラー画像を用い、画像解像度を１，２００ｄｐｉ、画像サイズを１，５３５×１，５３５Ｐｉｘｅｌとした。なお、副カラー画像（４８）についても、必要に応じて前述したＳｔｅｐ２の領域平均化処理によって多値カラー画像から成る領域平均化画像に変換してもよい。
【０１２０】
次に、Ｓｔｅｐ１６のトーンカーブの変更を行う。例えば、副カラー画像（４８）が２４ｂｉｔＲＧＢ形式であった場合、ＲＧＢ各チャンネルの濃度値は０〜２５５のグレーレベルで表されることから、Ｓｔｅｐ１６のトーンカーブの変更によって、およそ１２８〜２５５のグレーレベルにするのが望ましい。
【０１２１】
（後処理フロー）
副カラー模様（４３）の生成における後処理フローについて説明する。Ｓｔｅｐ２０では、トーンカーブの変更がなされた副カラー画像（４８）に副カラー画像用マスクの基画像（４７）を適用する。図３５は副カラー画像（４８）に副カラー画像用マスクの基画像（４７）が適用された副カラー画像（４９）が示されたものである。
【０１２２】
さらに、Ｓｔｅｐ２１では、Ｓｔｅｐ８又はＳｔｅｐ１４で得られた有色万線模様（１０）と、Ｓｔｅｐ７で生成された第１の多値カラー画像（２６）と第２の多値カラー画像（２７）とが合成された有色万線模様（１０）の基画像と、Ｓｔｅｐ２０で得られた副カラー画像（４９）とを合成することにより、図３６に示すような副カラー模様（４３）を有する有色万線模様（１０”）の基画像が完成する。
【符号の説明】
【０１２３】
１          カラー特殊潜像模様形成体
２          基材
３          顔画像
４          個人情報
５          冊子番号
６          カラー特殊潜像模様
７          潜像模様
８          凸様模様
９          凸画線
１０、１０’、１０”  有色万線模様
１１、１１’          有色画線
１２        レリーフ部
１３、１３’          カモフラージュ要素
１４、１４’          潜像要素
１５        基カラー画像
１８        背景部
１９        領域平均化画像
２０        水平ボカシ処理画像
２１        第１の多値モノクロ画像
２２        第２の多値モノクロ画像
２３        第１−１の２値画像
２４        第１−２の２値画像
２５        凸様模様の基画像
２６        第１の多値カラー画像
２７        第２の多値カラー画像
２８        色空間
２９        第３の多値モノクロ画像
３０        第１のトーンカーブ
３１        多値モノクロポジ画像
３２        第２のトーンカーブ
３３        多値モノクロネガ画像
３４        第２−１の２値画像
３５        第２−２の２値画像
３６        第２の２値画像
３７        第３−１の２値画像
３８        第３−２の２値画像
３９        第３の２値画像
４０        ポジ要素
４１        ネガ要素
４２        カラー特殊潜像模様
４３        副カラー模様
４４        副カラー画線
４５        第４−１の２値画像
４６        第４−２の２値画像
４７        副カラー画像用マスクの基画像
４８        副カラー画像
４９        副カラー画像用マスクの基画像が適用された副カラー画像
Ａ          第１のパターンファイル
Ｂ          第２のパターンファイル
Ｃ          カラー表示域
Ｈ          凸画線の高さ
ｈ          縦画素数
ｖ          横画素数
Ｋ          パターンファイル
Ｋ１        第３のパターンファイル
Ｋ２        第４のパターンファイル
Ｋ３        第５のパターンファイル
Ｋ４        第６のパターンファイル
Ｋ５        第７のパターンファイル
Ｋ６        第８のパターンファイル
Ｌ１        第１の観察角度
Ｌ２        第２の観察角度
Ｍ          モノトーン表示域
Ｍ１        入力手段
Ｍ１ａ      カラー画像入力手段
Ｍ１ｂ      情報入力手段
Ｍ２        編集手段
Ｍ２ａ      前処理画像生成手段
Ｍ２ｂ      万線模様生成手段
Ｍ２ｃ      凸様模様生成手段
Ｍ３        出力手段
Ｍ４        表示手段
Ｍ５        通信インターフェース
Ｍ６        データベース
Ｐ          ピッチ
Ｑ１        上部スリット
Ｑ２        下部スリット
Ｓ１        方向
Ｔ１        凸画線の中心線
Ｔ２        有色画線の中心線
Ｗ１        凸画線の画線幅
Ｗ２        有色画線の画線幅
Ｗ３        有色画線同士の間の非画線幅
Ｚ          位相のずれの距離
【図１】
2018199323.tif 000009
【図２】
2018199323.tif 000010
【図３】
2018199323.tif 000011
【図４】
2018199323.tif 000012
【図５】
2018199323.tif 000013
【図６】
2018199323.tif 000014
【図７】
2018199323.tif 000015
【図８】
2018199323.tif 000016
【図９】
2018199323.tif 000017
【図１０】
2018199323.tif 000018
【図１１】
2018199323.tif 000019
【図１２】
2018199323.tif 000020
【図１３】
2018199323.tif 000021
【図１４】
2018199323.tif 000022
【図１５】
2018199323.tif 000023
【図１６】
2018199323.tif 000024
【図１７】
2018199323.tif 000025
【図１８】
2018199323.tif 000026
【図１９】
2018199323.tif 000027
【図２０】
2018199323.tif 000028
【図２１】
2018199323.tif 000029
【図２２】
2018199323.tif 000030
【図２３】
2018199323.tif 000031
【図２４】
2018199323.tif 000032
【図２５】
2018199323.tif 000033
【図２６】
2018199323.tif 000034
【図２７】
2018199323.tif 000035
【図２８】
2018199323.tif 000036
【図２９】
2018199323.tif 000037
【図３０】
2018199323.tif 000038
【図３１】
2018199323.tif 000039
【図３２】
2018199323.tif 000040
【図３３】
2018199323.tif 000041
【図３４】
2018199323.tif 000042
【図３５】
2018199323.tif 000043
【図３６】
2018199323.tif 000044